(57)【要約】      （修正有）【課題】奥行き寸法を長くすることなく、且つスクリーンギャップが少ないマルチリアプロジェクション表示装置を提供する。【解決手段】第１背面投射型映像装置１１の上に第２背面投射型映像装置１２が並べられる。第１背面投写型映像装置１１の第１上端部１１ｆの第１スクリーン１１ｅの上端と接触する部分が、第１大型反射ミラー１１ｄが反射する映像光線の光束の上端（第１光束上端部ＬＦＵ１）に沿った斜面形状１１ｊを有する。第２背面投写型映像装置１２の第２下端部１２ｇの第２スクリーン１２ｅの下端と接触する部分が、第２大型反射ミラーが反射する映像光線の光束の下端（第２光束下端部ＬＦＤ２）に沿った斜面形状１２ｋを有する。上端部の斜面形状１１ｊの部分と第１、第２スクリーン１１ｅ、１２ｅとの成す角度は、下端部の斜面形状１２ｋの部分と第１、第２スクリーン１１ｅ、１２ｅとの成す角度以上である。【選択図】図３
2007286145.tif 000002
【特許請求の範囲】
【請求項１】
入射された映像光線を総て斜め下方向に向けて反射する第１、第２ミラーと、前記第１、第２ミラーで反射された映像光線が投影される第１、第２スクリーンとを有する第１、第２背面投写型映像装置を備え、前記第１背面投射型映像装置の上に前記第２背面投射型映像装置が並べられるマルチリアプロジェクション表示装置であって、
前記第１背面投写型映像装置の上端部の前記第１スクリーンの上端と接触する部分が、前記第１ミラーが反射する映像光線の光束の上端に沿った斜面形状を有し、
前記第２背面投写型映像装置の下端部の前記第２スクリーンの下端と接触する部分が、前記第２ミラーが反射する映像光線の光束の下端に沿った斜面形状を有し、
前記上端部の斜面形状部分と前記第１、第２スクリーンとの成す角度は、前記下端部の斜面形状部分と前記第１、第２スクリーンとの成す角度以上であり、
前記第１スクリーンの上端部と前記第２スクリーンの下端部とが接触する位置関係であることを特徴とするマルチリアプロジェクション表示装置。
【請求項２】
前記上端部の斜面形状部分と、前記下端部の斜面形状部分とが前記第１、第２スクリーンがある側で接触する位置関係であることを特徴とする請求項１に記載のマルチリアプロジェクション表示装置。
【請求項３】
前記上端部と、前記下端部との間には、連結部材が取り付けられることを特徴とする請求項１に記載のマルチリアプロジェクション表示装置。
【請求項４】
前記連結部材の強度は、前記第１背面投写型映像装置の上に積み重ねられる背面投写型映像装置の数に応じて決定されることを特徴とする請求項３に記載のマルチリアプロジェクション表示装置。
【請求項５】
入射された映像光線を総て斜め下方向に向けて反射するミラーと、
前記ミラーで反射された映像光線が投影されるスクリーンとを備える背面投写型映像装置であって、
前記背面投写型映像装置の上端部の前記スクリーンの上端と接触する部分が、前記ミラーが反射する映像光線の光束の上端に沿った斜面形状を有し、
前記背面投写型映像装置の下端部の前記スクリーンの下端と接触する部分が、前記ミラーが反射する映像光線の光束の下端に沿った斜面形状を有し、
前記上端部の斜面形状部分と前記スクリーンとの成す角度は、前記下端部の斜面形状部分と前記スクリーンとの成す角度以上であることを特徴とする背面投写型映像装置。
【請求項６】
前記ミラーの映像光線を反射する部分の少なくとも上端は、前記スクリーンの映像光線が投影される部分の上端よりも上方に位置する関係にあることを特徴とする請求項５に記載の背面投写型映像装置。
【請求項７】
入射された映像光線を総て斜め上方向に向けて反射するミラーと、
前記ミラーで反射された映像光線が投影されるスクリーンとを備える背面投写型映像装置であって、
前記背面投写型映像装置の下端部の前記スクリーンの下端と接触する部分が、前記ミラーが反射する映像光線の光束の下端に沿った斜面形状を有し、
前記背面投写型映像装置の上端部の前記スクリーンの上端と接触する部分が、前記ミラーが反射する映像光線の光束の上端に沿った斜面形状を有し、
前記下端部の斜面形状部分と前記スクリーンとの成す角度は、前記上端部の斜面形状部分と前記スクリーンとの成す角度以上であることを特徴とする背面投写型映像装置。
【発明の詳細な説明】
【技術分野】
【０００１】
本発明は、マルチリアプロジェクション表示装置に関し、特に上下方向のスクリーンギャップを少なくした装置に関する。
【背景技術】
【０００２】
従来、背面投写型映像装置を複数並べたマルチリアプロジェクション表示装置が提案されている。
【０００３】
特許文献１は、上下方向のスクリーンギャップの少なくすることが可能な背面投写型映像装置を複数並べたマルチリアプロジェクション表示装置を開示する。
【特許文献１】特開平０５−２９２４３５号公報
【発明の開示】
【発明が解決しようとする課題】
【０００４】
しかし、特許文献１の背面投写型映像装置は奥行き寸法が長くなる。奥行き寸法を短くするために、スクリーンよりも上方に反射ミラーの一部又は全部を配置する形態が考えられるが、上下に隣接する背面投写型映像装置のスクリーンの間が広くなる。
【０００５】
したがって本発明の目的は、奥行き寸法を長くすることなく、且つスクリーンギャップが少ないマルチリアプロジェクション表示装置を提供することである。
【課題を解決するための手段】
【０００６】
本発明に係るマルチリアプロジェクション表示装置は、入射された映像光線を総て斜め下方向に向けて反射する第１、第２ミラーと、第１、第２ミラーで反射された映像光線が投影される第１、第２スクリーンとを有する第１、第２背面投写型映像装置を備え、第１背面投射型映像装置の上に第２背面投射型映像装置が並べられるマルチリアプロジェクション表示装置であって、第１背面投写型映像装置の上端部の第１スクリーンの上端と接触する部分が、第１ミラーが反射する映像光線の光束の上端に沿った斜面形状を有し、第２背面投写型映像装置の下端部の第２スクリーンの下端と接触する部分が、第２ミラーが反射する映像光線の光束の下端に沿った斜面形状を有し、上端部の斜面形状部分と第１、第２スクリーンとの成す角度は、下端部の斜面形状部分と第１、第２スクリーンとの成す角度以上であり、第１スクリーンの上端部と第２スクリーンの下端部とが接触する位置関係である。
【０００７】
好ましくは、上端部の斜面形状部分と、下端部の斜面形状部分とが第１、第２スクリーンがある側で接触する位置関係である。
【０００８】
また、好ましくは、上端部と、下端部との間には、連結部材が取り付けられる。
【０００９】
さらに好ましくは、連結部材の強度は、第１背面投写型映像装置の上に積み重ねられる背面投写型映像装置の数に応じて決定される。
【００１０】
また、本発明に係る背面投写型映像装置は、入射された映像光線を総て斜め下方向に向けて反射するミラーと、ミラーで反射された映像光線が投影されるスクリーンとを備える背面投写型映像装置であって、背面投写型映像装置の上端部のスクリーンの上端と接触する部分が、ミラーが反射する映像光線の光束の上端に沿った斜面形状を有し、背面投写型映像装置の下端部のスクリーンの下端と接触する部分が、ミラーが反射する映像光線の光束の下端に沿った斜面形状を有し、上端部の斜面形状部分とスクリーンとの成す角度は、下端部の斜面形状部分とスクリーンとの成す角度以上である。
【００１１】
好ましくは、ミラーの映像光線を反射する部分の少なくとも上端は、スクリーンの映像光線が投影される部分の上端よりも上方に位置する関係にある。
【００１２】
また、本発明に係る背面投写型映像装置は、入射された映像光線を総て斜め上方向に向けて反射するミラーと、ミラーで反射された映像光線が投影されるスクリーンとを備える背面投写型映像装置であって、背面投写型映像装置の下端部のスクリーンの下端と接触する部分が、ミラーが反射する映像光線の光束の下端に沿った斜面形状を有し、背面投写型映像装置の上端部のスクリーンの上端と接触する部分が、ミラーが反射する映像光線の光束の上端に沿った斜面形状を有し、下端部の斜面形状部分とスクリーンとの成す角度は、上端部の斜面形状部分とスクリーンとの成す角度以上である。
【発明の効果】
【００１３】
以上のように本発明によれば、奥行き寸法を長くすることなく、且つスクリーンギャップが少ないマルチリアプロジェクション表示装置を提供することができる。
【発明を実施するための最良の形態】
【００１４】
以下、本実施形態について、図を用いて説明する。本実施形態におけるマルチリアプロジェクション表示装置１は、第１〜第９背面投射型映像装置１１〜１９、連結部材３０、及びネジ３２を備える。第１〜第９背面投射型映像装置１１〜１９は、同じ背面投写型映像装置である。
【００１５】
第１〜第９背面投射型映像装置１１〜１９は、それぞれ第１〜第９ランプ１１ａ〜１９ａ、第１〜第９光学エンジン１１ｂ〜１９ｂ、第１〜第９小型反射ミラー１１ｃ〜１９ｃ、第１〜第９大型反射ミラー１１ｄ〜１９ｄ、第１〜第９スクリーン１１ｅ〜１９ｅ、第１〜第９上端部１１ｆ〜１９ｆ、第１〜第９下端部１１ｇ〜１９ｇ、第１〜第９筐体１１ｈ〜１９ｈ、及び第１〜第９底面部材１１ｉ〜１９ｉを有する（図１、２参照）。
【００１６】
なお、方向を説明するために、マルチリアプロジェクション表示装置１において第１〜第９ランプ１１ａ〜１９ａのそれぞれから第１〜第９光学エンジン１１ｂ〜１９ｂに向けて照射される光の方向（水平方向）を第１方向ｘ、第１方向ｘと直交する鉛直方向を第２方向ｙ、第１方向ｘ、第２方向ｙと垂直な水平方向（奥行き方向）を第３方向ｚとして説明する。
【００１７】
第１〜第３背面投写型映像装置１１〜１３は、第２方向ｙで且つ上方向に並べて配置される。第４〜第６背面投写型映像装置１４〜１６は、第２方向ｙで且つ上方向に並べて配置される。第７〜第９背面投射型映像装置１７〜１９は、第２方向ｙで且つ上方向に並べて配置される。
【００１８】
第１、第４、第７背面投射型映像装置１１、１４、１７は、第１方向ｘで且つスクリーン側から見て右方向に並べて配置される。第２、第５、第８背面投写型映像装置１２、１５、１８は、第１方向ｘで且つスクリーン側から見て右方向に並べて配置される。第３、第６、第９背面投写型映像装置１３、１６、１９は、第１方向ｘで且つスクリーン側から見て右方向に並べて配置される。
【００１９】
本実施形態では、第１方向ｘに３台、第２方向ｙに３台の背面投写型映像装置を並べたマルチリアプロジェクション表示装置１について説明するが、背面投写型映像装置の数はこれに限られず、少なくとも背面投写型映像装置が第２方向ｙに２台以上並べられていれば良い。
【００２０】
第１〜第９ランプ１１ａ〜１９ａは、光源ランプを有し、第１〜第９光学エンジン１１ｂ〜１９ｂに、光を照射する。
【００２１】
第１〜第９光学エンジン１１ｂ〜１９ｂは、第１〜第９ランプ１１ａ〜１９ａから照射された光に基づいて、映像光線を照射するマイクロミラーデバイスであり、映像光線は、その光束の断面積を拡大させながら、第１〜第９小型反射ミラー１１ｃ〜１９ｃ、及び第１〜第９大型反射ミラー１１ｄ〜１９ｄを介して、第１〜第９スクリーン１１ｅ〜１９ｅに拡大投影される。なお、第１〜第９光学エンジン１１ｂ〜１９ｂは、マイクロミラーデバイスに限られず、透過型液晶、反射型液晶などであってもよい。
【００２２】
第１〜第９小型反射ミラー１１ｃ〜１９ｃは、第１〜第９光学エンジン１１ｂ〜１９ｂから照射された映像光線を斜め上方向または上方向に向けて反射する。
【００２３】
第１〜第９大型反射ミラー１１ｄ〜１９ｄは、第１〜第９小型反射ミラー１１ｃ〜１９ｃから反射された映像光線を総て斜め下方向に向けて反射する。従って、第１〜第９大型反射ミラー１１ｄ〜１９ｄの映像光線を反射する部分の上端は、第１〜第９スクリーン１１ｅ〜１９ｅの映像光線が投影される部分の上端よりも上方に位置する関係にある。
【００２４】
第１〜第９大型反射ミラー１１ｄ〜１９ｄが反射する映像光線の光束の上端を第１〜第９光束上端部ＬＦＵ１〜ＬＦＵ９と、下端を第１〜第９光束下端部ＬＦＤ１〜ＬＦＤ９と定義する。
【００２５】
第１〜第９背面投射型映像装置１１〜１９の上端部分を構成する第１〜第９上端部１１ｆ〜１９ｆは、第１〜第９大型反射ミラー１１ｄ〜１９ｄの上部分で第１〜第９スクリーン１１ｅ〜１９ｅ側についてはｘｚ平面に平行な面を有する階段形状を有し、第１〜第９スクリーン１１ｅ〜１９ｅの上端と接触する部分（第１〜第９大型反射ミラー１１ｄ〜１９ｄと第１〜第９スクリーン１１ｅ〜１９ｅとの間の部分）は、第１〜第９光束上端部ＬＦＵ１〜ＬＦＵ９の形状に沿った斜面形状１１ｊ〜１９ｊを有する（図３〜５参照）。
【００２６】
第１〜第９スクリーン１１ｅ〜１９ｅは、半透明の材料から形成されており、第１〜第９光学エンジン１１ｂ〜１９ｂで形成された映像光線が投影され、第１〜第９スクリーン１１ｅ〜１９ｅ上に画像が形成される。本実施形態における第１〜第９スクリーン１１ｅ〜１９ｅは、スクリーンの額縁部分（映像が投影されない部分）を含む。
【００２７】
第１〜第９背面投射型映像装置１１〜１９を構成する第１〜第９スクリーン１１ｅ〜１９ｅを除く部分は、第１〜第９スクリーン１１ｅ〜１９ｅの映像が投影される部分の下端よりも上方に位置する関係にある。
【００２８】
第１〜第９背面投射型映像装置１１〜１９の下端部分を構成する第１〜第９下端部１１ｇ〜１９ｇは、第１〜第９大型反射ミラー１１ｄ〜１９ｄの下部分についてはｘｚ平面に平行な面を有する階段形状を有し、第１〜第９スクリーン１１ｅ〜１９ｅの下端と接触する部分は、第１〜第９光束下端部ＬＦＤ１〜ＬＦＤ９の形状に沿った斜面形状１１ｋ〜１９ｋを有する。第１〜第９下端部１１ｇ〜１９ｇの第１〜第９スクリーン１１ｅ〜１９ｅと反対側は、第１〜第９底面部材１１ｉ〜１９ｉで構成される。
【００２９】
第１〜第９上端部１１ｆ〜１９ｆの斜面形状１１ｊ〜１９ｊの部分と第１〜第９スクリーン１１ｅ〜１９ｅとが成す角度θ１は、第１〜第９下端部１１ｇ〜１９ｇの斜面形状１１ｋ〜１９ｋの部分と第１〜第９スクリーン１１ｅ〜１９ｅとが成す角度θ２以上である。
【００３０】
第１上端部１１ｆの斜面形状１１ｊの部分と、第２下端部１２ｇの斜面形状１２ｋの部分とはスクリーン側で接触し、第１スクリーン１１ｅの上端部と、第２スクリーン１２ｅの下端部は接触する。第２上端部１２ｆの斜面形状１２ｊの部分と、第３下端部１３ｇの斜面形状１３ｋの部分とはスクリーン側で接触し、第２スクリーン１２ｅの上端部と、第３スクリーン１３ｅの下端部は接触する。
【００３１】
第４上端部１４ｆの斜面形状１４ｊの部分と、第５下端部１５ｇの斜面形状１５ｋの部分とはスクリーン側で接触し、第４スクリーン１４ｅの上端部と、第５スクリーン１５ｅの下端部は接触する。第５上端部１５ｆの斜面形状１５ｊの部分と、第６下端部１６ｇの斜面形状１６ｋの部分とはスクリーン側で接触し、第５スクリーン１５ｅの上端部と、第６スクリーン１６ｅの下端部は接触する。
【００３２】
第７上端部１７ｆの斜面形状１７ｊの部分と、第８下端部１８ｇの斜面形状１８ｋの部分とはスクリーン側で接触し、第７スクリーン１７ｅの上端部と、第８スクリーン１８ｅの下端部は接触する。第８上端部１８ｆの斜面形状１８ｊの部分と、第９下端部１９ｇの斜面形状１９ｋの部分とはスクリーン側で接触し、第９スクリーン１８ｅの上端部と、第９スクリーン１９ｅの下端部は接触する。
【００３３】
第１〜第９上端部１１ｆ〜１９ｆの斜面形状１１ｊ〜１９ｊの部分と第１〜第９スクリーン１１ｅ〜１９ｅとが成す角度θ１は、第１〜第９下端部１１ｇ〜１９ｇの斜面形状１１ｋ〜１９ｋの部分と第１〜第９スクリーン１１ｅ〜１９ｅとが成す角度θ２とが同じ場合には、下側に配置される背面投射型映像装置の上端部の斜面形状部分と、上側に配置される背面投写型映像装置の下端部の斜面形状部分とが係合することが可能になり、取り付け時の安定性が向上するメリットを有する（不図示）。
【００３４】
背面投写型映像装置のそれぞれは、奥行き（第３方向ｚ）の寸法を短くするために、スクリーンの上端よりも上方に反射ミラーの少なくとも一部分が突出するミラー配置を有するが、上端部、及び下端部について、隣接するスクリーンが同一平面上（ｘｙ平面上）に配置された状態で、スクリーン側で接触できる形状にすることにより、上下方向に隣接するスクリーンが接触する位置関係に出来る。
【００３５】
上下方向に隣接するスクリーンが接触することにより、下のスクリーンに表示された画像と上のスクリーンに表示された画像の境目が殆ど目立たない（スクリーンギャップが殆ど生じない）。そのため、上下のスクリーンに表示させる映像の位置関係を制御する際に、スクリーンギャップの影響を考慮する必要がなく、制御プログラムの簡素化が可能になる。
【００３６】
第１スクリーン１１ｅと第４スクリーン１４ｅ、第２スクリーン１２ｅと第５スクリーン１５ｅ、第３スクリーン１３ｅと第６スクリーン１６ｅ、第４スクリーン１４ｅと第７スクリーン１７ｅ、第５スクリーン１５ｅと第８スクリーン１８ｅ、及び第６スクリーンと第９スクリーン１９ｅとは、第１方向ｘで隣接する。
【００３７】
左右方向に隣接するスクリーンが接触することにより、右のスクリーンに表示された画像と左のスクリーンに表示された画像の境目が殆ど目立たない（スクリーンギャップが殆ど生じない）。そのため、左右のスクリーンに表示させる映像の位置関係を制御する際に、スクリーンギャップの影響を考慮する必要がなく、制御プログラムの簡素化が可能になる。
【００３８】
第１上端部１１ｆと第２下端部１２ｇとの間、第２上端部１２ｆと第３下端部１３ｇとの間、第４上端部１４ｆと第５下端部１５ｇとの間、第５上端部１５ｆと第６下端部１６ｇとの間、第７上端部１７ｆと第８下端部１８ｇとの間、及び第８上端部１８ｆと第９下端部１９ｇとの間には、連結部材３０が取り付けられる。
【００３９】
具体的には、第１背面投写型映像装置１１の第１上端部１１ｆ及び第１大型反射ミラー１１ｄと、第２背面投写型映像装置１２の第２下端部１２ｇ及び第２底面部材１２ｉとの間に連結部材３０が取り付けられる。連結部材３０は、ネジ３２で、第１背面投写型映像装置１１の背面側にある第１筐体１１ｈの上端部、及び第２底面部材１２ｉとネジ止めされる（図３参照）。
【００４０】
同様に、第２背面投写型映像装置１２の第２上端部１２ｆ及び第２大型反射ミラー１２ｄと、第３背面投写型映像装置１３の第３下端部１３ｇ及び第３底面部材１３ｉとの間に連結部材３０が取り付けられる。連結部材３０は、ネジ３２で、第２背面投写型映像装置１２の背面側にある第２筐体１２ｈの上端部、及び第３底面部材１３ｉとネジ止めされる。
【００４１】
同様に、第４背面投写型映像装置１４の第４上端部１４ｆ及び第４大型反射ミラー１４ｄと、第５背面投写型映像装置１５の第５下端部１５ｇ及び第５底面部材１５ｉとの間に連結部材３０が取り付けられる。連結部材３０は、ネジ３２で、第４背面投写型映像装置１４の背面側にある第４筐体１４ｈの上端部、及び第５底面部材１５ｉとネジ止めされる。
【００４２】
同様に、第５背面投写型映像装置１５の第５上端部１５ｆ及び第５大型反射ミラー１５ｄと、第６背面投写型映像装置１６の第６下端部１６ｇ及び第６底面部材１６ｉとの間に連結部材３０が取り付けられる。連結部材３０は、ネジ３２で、第５背面投写型映像装置１５の背面側にある第５筐体１５ｈの上端部、及び第６底面部材１６ｉとネジ止めされる。
【００４３】
同様に、第７背面投写型映像装置１７の第７上端部１７ｆ及び第７大型反射ミラー１７ｄと、第８背面投写型映像装置１８の第８下端部１８ｇ及び第８底面部材１８ｉとの間に連結部材３０が取り付けられる。連結部材３０は、ネジ３２で、第７背面投写型映像装置１７の背面側にある第７筐体１７ｈの上端部、及び第８底面部材１８ｉとネジ止めされる。
【００４４】
同様に、第８背面投写型映像装置１８の第５上端部１８ｆ及び第８大型反射ミラー１８ｄと、第９背面投写型映像装置１９の第９下端部１９ｇ及び第９底面部材１９ｉとの間に連結部材３０が取り付けられる。連結部材３０は、ネジ３２で、第８背面投写型映像装置１８の背面側にある第８筐体１８ｈの上端部、及び第９底面部材１９ｉとネジ止めされる。
【００４５】
連結部材３０の強度は、第２方向ｙに積み重ねられる背面投射型映像装置の数に応じて決定される。連結部材３０を使って背面投射型映像装置の上下方向の積み重ねを行うことにより、下に設置された背面投射型映像装置（例えば第１背面投射型映像装置１１）が、上に設置される背面投射型映像装置（例えば第２、第３背面投写型映像装置１２、１３）の重量や、重量などによるずれに耐えやすくなるメリットを有する。
【００４６】
本実施形態では、第１〜第９背面投射型映像装置１１〜１９は、同じ背面投写型映像装置であるとして説明したが、隣接する部分の条件を満たす限りにおいては、異なる背面投写型映像装置であってもよい。隣接する部分の条件とは、下側に配置された背面投射型映像装置の上端部の斜面形状部分とスクリーンとの成す角度が、上側に配置された背面投射型映像装置の下端部の斜面形状部分とスクリーンとの成す角度以上であって、下型に配置された背面投写型映像装置のスクリーンの上端部と、下型に配置された背面投写型映像装置の上端部とが接触する位置関係を有する意である。
【００４７】
また、本実施形態における、第１〜第９背面投射型映像装置１１〜１９は、下方に配置されたランプ、及び光学エンジンから照射される映像光線を、上方に配置された大型反射ミラーで反射する形態を説明したが、これらの上下関係を逆転させた形態であってもよい。
【図面の簡単な説明】
【００４８】
【図１】本実施形態におけるマルチリアプロジェクション表示装置の正面図である。
【図２】マルチリアプロジェクション表示装置の第１〜第３背面投写型映像装置側から見た側面図である。
【図３】第１背面投写型映像装置と、第２背面投射型映像装置との接触部分の側面図である。
【図４】第１背面投写型映像装置の正面図である。
【図５】第１背面投写型映像装置の光学ユニット側から見た側面図である。
【符号の説明】
【００４９】
１  マルチリアプロジェクション表示装置
１１〜１９  第１〜第９背面投写型映像装置
１１ａ〜１９ａ  第１〜第９ランプ
１１ｂ〜１９ｂ  第１〜第９光学エンジン
１１ｃ〜１９ｃ  第１〜第９小型反射ミラー
１１ｄ〜１９ｄ  第１〜第９大型反射ミラー
１１ｅ〜１９ｅ  第１〜第９スクリーン
１１ｆ〜１９ｆ  第１〜第９上端部
１１ｇ〜１９ｇ  第１〜第９下端部
１１ｈ〜１９ｈ  第１〜第９筐体
１１ｉ〜１９ｉ  第１〜第９底面部材
１１ｊ〜１９ｊ  第１〜第９上端部の斜面形状部分
１１ｋ〜１９ｋ  第１〜第９下端部の斜面形状部分
３０  連結部材
３２  ネジ
ＬＦＵ１〜ＬＦＵ９  第１〜第９光束上端部
ＬＦＤ１〜ＬＦＤ９  第１〜第９光束下端部
【図１】
2007286145.tif 000003
【図２】
2007286145.tif 000004
【図３】
2007286145.tif 000005
【図４】
2007286145.tif 000006
【図５】
2007286145.tif 000007